(57)【要約】【課題】スカッフィングおよび摩擦のために生じる摩耗を低減する。【解決手段】本発明は、ピストンリングと接触する内面（４）を有する中空の筒状体（２）を備えた、内燃エンジン用のシリンダライナ（１）であって、実質的に３つの主要部分、すなわち第１部分（Ｚ１）、第２部分（Ｚ２）および第３部分（Ｚ３）を規定し、内面（４）はその部分（Ｚ１，Ｚ２，Ｚ３）の各々に対して特定の粗さ値を有するシリンダライナ（１）に関する。各部分（Ｚ１，Ｚ２，Ｚ３）によって占められる長さは、第１部分（Ｚ１）および第３部分（Ｚ３）におけるスカッフィングによる摩耗の低減ならびに第２部分（Ｚ２）における摩擦による摩耗の低減のために、内面（４）の部分（Ｚ１，Ｚ２，Ｚ３）間の比率を最適化する目的で決められる。【選択図】図２
2017110804.tif 000002
【特許請求の範囲】
【請求項１】
軸方向長さ（Ｌ）を有する内面（４）を有する中空の筒状体（２）を備えた、内燃エンジン用のシリンダライナであって、
上記内面（４）は、上記軸方向長さ（Ｌ）に沿って少なくとも２つの部分（Ｚ１，Ｚ２）に分割されており、
上記部分（Ｚ１，Ｚ２）の各々は、特定の粗さ値および所定の長さを有している
ことを特徴とするシリンダライナ。
【請求項２】
請求項１において、
上記内面（４）は、上記軸方向長さ（Ｌ）に沿って３つの部分（Ｚ１，Ｚ２，Ｚ３）、すなわち（ｉ）ピストンの上死点近傍の第１部分（Ｚ１）と、（ii）中央の第２部分（Ｚ２）と、（iii）ピストンの下死点近傍の第３部分（Ｚ３）と、に分割されており、
上記３つの部分（Ｚ１，Ｚ２，Ｚ３）の各々は、特定の粗さ値および所定の長さを有している
ことを特徴とするシリンダライナ。
【請求項３】
請求項２において、
上記３つの部分（Ｚ１，Ｚ２，Ｚ３）の上記所定の長さは、（１）上記第１部分（Ｚ１）および上記第３部分（Ｚ３）の長さの和と、上記シリンダライナ（１）の上記軸方向長さ（Ｌ）との比率が、０．３１よりも大きく０．５８よりも小さくなるように（すなわち、０．３１＜（Ｚ１＋Ｚ３）／Ｌ＜０．５８、となるように）、かつ（２）上記第１部分（Ｚ１）と上記第２部分（Ｚ２）との長さの比率が、０．１５よりも大きく０．４６よりも小さくなるように（すなわち、０．１５＜Ｚ１／Ｚ２＜０．４６、となるように）、規定されている
ことを特徴とするシリンダライナ。
【請求項４】
請求項１において、
上記シリンダライナ（１）の上記軸方向長さ（Ｌ）の全長に沿って一定のホーニング角度を有している
ことを特徴とするシリンダライナ。
【請求項５】
請求項１において、
上記部分（Ｚ１，Ｚ２）の各々に対して特定のホーニング角度を有している
ことを特徴とするシリンダライナ。
【請求項６】
請求項２において、
上記第１部分（Ｚ１）の粗さは、Ｒｐｋが０．３０μｍ以下であり、Ｒｋが０．４０〜１．５０μｍであり、Ｒｖｋが１．１０〜２．８０μｍである
ことを特徴とするシリンダライナ。
【請求項７】
請求項２において、
上記第２部分（Ｚ２）の粗さは、Ｒｐｋが０．３０μｍ以下であり、Ｒｋが０．４０μｍ以下であり、Ｒｖｋが０．３０〜１．００μｍである
ことを特徴とするシリンダライナ。
【請求項８】
請求項２において、
上記第３部分（Ｚ３）の粗さは、Ｒｐｋが０．３０μｍ以下であり、Ｒｋが１．５０μｍ以下であり、Ｒｖｋが０．３０〜２．８０μｍである
ことを特徴とするシリンダライナ。
【発明の詳細な説明】
【技術分野】
【０００１】
本発明は、ライナ軸方向に沿って少なくとも２つの部分に分割された内面を有する筒状体を備え、当該部分の各々が特定の粗さ値および所定の長さを有する、内燃エンジン用のシリンダライナに関する。
【背景技術】
【０００２】
内燃エンジン用のシリンダライナは、エンジンブロックの構造を有する静的な構成要素であって、膨張ガスのための閉鎖システムのアセンブリを提供しかつ燃焼で生じた熱の循環水との（湿式シリンダライナ）または循環空気との（乾式シリンダライナ）熱交換を促進する。
【０００３】
様々なタイプのライナの目的の中でも、燃焼室の密封の維持、燃焼室で生じた熱の冷却媒体（水または空気）との熱交換の実現、およびエンジンブロックの再利用の可能性が重要視されている。
【０００４】
その機能において、内燃エンジンは、シリンダへの空気と燃料との混合物の流入を許容し、圧縮に続く（ディーゼルエンジンの場合）または混合物の圧縮の間に燃焼室で発生される点火火花による（アルコールおよび／またはガソリンエンジンの場合）自然燃焼に入る。
【０００５】
燃焼ガスの膨張が閉鎖システム内で生じると、生成されるエネルギーの一部がエンジンのピストンを下方に押し下げ、連続的にクランクシャフトを動かし、したがってエネルギーが運動に変換される。よって、シリンダライナは、エネルギー変換プロセスに必要な閉鎖状態を伴うシステムを提供するエンジンの機能において作用する。
【０００６】
内燃エンジンに関して増大する需要は、その様々な構成要素およびその作動面に関する絶え間ない向上を必要とする。シリンダライナ、ピストンおよびピストンリングの間における高精度の結びつきは、エンジンの性能向上につながる。
【０００７】
通常、内燃エンジン用のシリンダライナは、その機械的および熱的特性を向上させるために合金元素を加えた鋳鉄で作られる。合金元素の添加に加えて、鋳鉄製のライナはまた、オイル消費およびガス再循環の低減に寄与し、摩耗による粒子の発生を抑制しかつ時短走行を可能とし、よってより長い寿命を実現する最適化された作動面を必要とする。
【０００８】
したがって、シリンダの作動面の最適化を実現するために、通常はホーニングプロセスが実行され、当該プロセスの機械加工方法においては工具が往復運動および回転運動を行い、ライナの円筒度およびライナ表面の均一度が確保される。適切に行われるホーニングプロセスは、ピストンリングの摩耗、粒子の発生、オイルの消費、および摩擦に関して良い影響を及ぼす。
【０００９】
様々なホーニングプロセスを通じて、シリンダライナのより良い作動状態を得るという目的を有する様々な技術が発展してきた。
【００１０】
第１の展開が、本出願人による特許文献１に開示されていて、シリンダライナであって、その内部におけるピストンの移動方向に沿って粗さが変化するシリンダライナに関する。より具体的には、ヘッドの方向におけるピストンの最大移動の端部の近傍部分は第１粗さを有する領域となっており、ピストンの移動に関するライナの中央領域は第２粗さを有し、ここでライナの作動面の中間部分の粗さ値は端部の粗さ値よりも大きい。特許文献１の主眼はライナの粗さ値の仕様のみにあり、ライナの内部における長さ方向に沿った当該粗さ値の分布は特定されていない。
【００１１】
特許文献２には、中央領域よりも端部の方が高い粗さ値を有するシリンダライナが開示されている。しかしながら、そのような構造を得るために利用されるプロセスは、より深いまたはより浅いくぼみ（深さはそれらの間で著しく変わる）の発生につながり、潤滑油の蓄積ポケットとしてのこのソリューションの潜在的有効性を低減させる。また、特許文献２の主眼はライナの粗さ値の仕様のみにある。
【００１２】
特許文献３は、シリンダライナであって、その内面が第２部分よりも端部においてより大きな粗さ値を有するシリンダライナに関する。しかし、このような特徴を実現するために、ホーニングプロセスにおいて端部領域の表面を処理するために特定の技術パラメータが使用され、中央領域に対しては異なったパラメータが使用された。同様に、特許文献３の主眼はライナの粗さ値の仕様のみにある。
【００１３】
最後に、特許文献４は、シリンダライナであって、その摺動面が３つの粗さ値を有するシリンダライナに関する。３つの粗さ値とは、（ｉ）ヘッドに面する端部分、第２部分および反対の端部分における最も低い（最も粗くない）第１粗さ値Ｓ１と、（ii）ヘッドに面する部分と第２部分との間に適用される中間粗さである第２粗さ値Ｓ２と、（iii）第２部分とヘッドに面するのとは反対側の端部分との間に適用される最も高い第３粗さ値Ｓ３とである。この場合にはまた、主眼はライナの粗さ値の仕様のみにある。
【００１４】
このように、最新技術においては、シリンダライナのためのホーニングプロセスに適用される様々な技術であって、シリンダライナ内でのピストンの移動方向に沿った特定の粗さ値の仕様の目的を有する技術が存在することが確認されるかも知れない。
【先行技術文献】
【特許文献】
【００１５】
【特許文献１】独国特許出願公開第１０２００６０５７１１１号明細書
【特許文献２】独国特許出願公開第１０２００９０１０７９１号明細書
【特許文献３】独国特許出願公開第１９６０５５８８号明細書
【特許文献４】仏国特許出願公開第２８８４８８９号明細書
【発明の概要】
【発明が解決しようとする課題】
【００１６】
しかしながら、粗さ値の大小に加えて、ライナの作動面の異なる部分で得られる粗さの変化に関する長さの比率について説明した文献は発見されていない。
【００１７】
エンジンの動作中における摩耗及びスカッフィングによる摩耗の低減を意図して、内燃エンジン用のシリンダライナであって、軸方向長さを有してその長さ方向に沿って少なくとも２つの部分に分割された内部作動面を有する中空筒状体を備え、当該部分の各々が特定の粗さ値および所定の間隔で所定の長さを有する、シリンダライナが提示される。
【００１８】
本発明の第１の目的は、内燃エンジン用のシリンダライナであって、内面の分割部分にしたがって特定の粗さおよび所定の長さを有する内面を有する筒状体を備え、当該粗さ値が、ピストンリングと接触するライナの摩耗、粒子の発生、オイルの消費、摩擦およびしたがってエンジンの寿命に有利な影響を及ぼす、シリンダライナを提供することである。
【００１９】
特に、本発明は、内面が特定の粗さ値を有する３つの部分、すなわち第１部分、第２部分および第３部分に分割され、当該部分の各々によって占められる長さが所定の間隔に定められているシリンダライナを提供することを目的としていて、特に第１および第３部分におけるスカッフィングによる摩耗を低減すること、ならびに第２部分における摩擦による摩耗を低減することを意図している。
【課題を解決するための手段】
【００２０】
本発明の目的は、軸方向長さを有する内面を有する中空の筒状体を備えた、内燃エンジン用のシリンダライナであって、上記内面は、上記軸方向長さに沿って少なくとも２つの部分に分割されており、上記部分の各々は、特定の粗さ値および所定の長さを有していることを特徴とするシリンダライナによって達成される。
【００２１】
本発明の目的は、また、上記内面は、上記軸方向長さに沿って３つの部分、すなわち（ｉ）ピストンの上死点近傍の第１部分と、（ii）中央の第２部分と、（iii）ピストンの下死点近傍の第３部分と、に分割されており、上記３つの部分の各々は、特定の粗さ値および所定の長さを有しているシリンダライナであって、上記３つの部分（Ｚ１，Ｚ２，Ｚ３）の上記所定の長さは、（１）上記第１部分（Ｚ１）および上記第３部分（Ｚ３）の長さの和と、上記シリンダライナ（１）の上記軸方向長さ（Ｌ）との比率が、０．３１よりも大きく０．５８よりも小さくなるように（すなわち、０．３１＜（Ｚ１＋Ｚ３）／Ｌ＜０．５８、となるように）、かつ（２）上記第１部分（Ｚ１）と上記第２部分（Ｚ２）との長さの比率が、０．１５よりも大きく０．４６よりも小さくなるように（すなわち、０．１５＜Ｚ１／Ｚ２＜０．４６、となるように）、規定されていることを特徴とするシリンダライナによって達成される。
【００２２】
加えて、本発明の目的は、上記シリンダライナの上記軸方向長さの全長に沿って一定のホーニング角度を有していることを特徴とするシリンダライナによって、または、上記部分の各々に対して特定のホーニング角度を有していることを特徴とするシリンダライナによって達成される。
【００２３】
さらに、本発明の目的は、上記第１部分の粗さは、Ｒｐｋ（突出山部高さ）が０．３０μｍ以下であり、Ｒｋ（コア部のレベル差）が０．４０〜１．５０μｍであり、Ｒｖｋ（突出谷部深さ）が１．１０〜２．８０μｍであり、上記第２部分の粗さは、Ｒｐｋが０．３０μｍ以下であり、Ｒｋが０．４０μｍ以下であり、Ｒｖｋが０．３０〜１．００μｍであり、上記第３部分の粗さは、Ｒｐｋが０．３０μｍ以下であり、Ｒｋが１．５０μｍ以下であり、Ｒｖｋが０．３０〜２．８０μｍであることを特徴とするシリンダライナによって達成される。
【図面の簡単な説明】
【００２４】
【図１】図１は、その構成要素を示すシリンダライナの断面図である。
【図２】図２は、本発明に係るシリンダライナの概略図であって、内面の粗さを示すものである。
【図３】図３は、スカッフィング摩耗の傷を有するシリンダライナ内面の写真である。
【図４】図４は、異なる速度で折り畳まれた材料の摩耗の変化を表すグラフである。
【発明を実施するための形態】
【００２５】
以下、本発明の実施形態を図面に基づいて詳細に説明する。以下の好ましい実施形態の説明は、本質的に例示に過ぎず、本発明、その適用物或いはその用途を制限することを意図するものでは全くない。
【００２６】
本発明は、内燃エンジン用のシリンダライナ１に関する。このシリンダライナ１は、ピストンリングと接触する３つの主要部分、すなわち第１部分Ｚ１、第２部分Ｚ２および第３部分Ｚ３を規定する内面４を有する中空の筒状体２を備えている。内面４は、その部分Ｚ１，Ｚ２，Ｚ３の各々に対して特定の粗さ値を有しており、当該部分Ｚ１，Ｚ２，Ｚ３の各々によって占められる長さは所定の間隔に定められている。本発明は、内面４の各部分Ｚ１，Ｚ２，Ｚ３の長さの比率を、スカッフィングおよび摩擦による摩耗を低減するために最適化するという目的を有している。
【００２７】
上述したように、内燃エンジン用のシリンダライナは、エンジンブロックの構造を有する静的な構成要素であって、膨張ガスのための閉鎖システムのアセンブリを提供しかつ燃焼で生じた熱の循環水との（湿式シリンダライナ）または循環空気との（乾式シリンダライナ）熱交換を促進する。
【００２８】
シリンダライナ１は、基本的に、水または空気である冷却流体と接触する外面３と、ピストンの軸方向移動時に少なくとも１つのピストンリングと接触する内面４とを有する管体または中空の筒状体２を備えている。この構造的構成は例えば図１に示されている。
【００２９】
通常、シリンダライナ１は、鉄を含む合金、例えば鋳鉄や鋼で作られていて、その製造過程において他の必要なまたは所望の物質（例えばアルミ合金）を含んでもよい。同様に、ライナ１は、その機能を発揮できるという条件下で、任意の必要なまたは所望の形状を有していてもよい。
【００３０】
内燃エンジンの正常な機能性のために必要とされる条件の一つは、シリンダライナ１、ピストンおよびピストンリングの間における精確な結びつきを得ることであり、当該機能性はエンジンの性能向上につながる。このため、シリンダライナ１は最適化された作動面を必要とし、それによる主な貢献はエンジン寿命の延長である。
【００３１】
したがって、シリンダライナ１の内側作動面４の最適化を実現するために、加工ムラを除去するためのホーニングプロセスが通常行われ、ライナ１に制御された加工角度および粗さ値を有する均一な最終仕上げを提供する。適切に行われたホーニングプロセスは、ピストンリングの摩耗、粒子の発生、オイル消費量および摩擦に関して良い影響を及ぼす。
【００３２】
従来技術のいくつかの解決方法は、ライナ１に沿って異なる粗さ規格を実現するために別個の表面仕上げプロセスに頼っている。しかしながら、本発明は、内面４において実質的に異なる粗さ値が得られるように、ホーニングを用いてプロセス変動を制御し、さらにこのタイプの処理に特有の溝の角度の制御を確保する。
【００３３】
第１の構造的構成では、シリンダライナ１の内面４は、軸方向長さＬを有している。この内面４は、その軸方向長さＬの長さ方向に沿って少なくとも２つの部分Ｚ１，Ｚ２に分割されている。当該部分Ｚ１，Ｚ２の各々は、特定の粗さ値および所定の長さを有している。
【００３４】
好ましい構造的構成では、シリンダライナ１の内面４は、図２に示すように、軸方向長さＬを有していて、その軸方向長さＬの長さ方向に沿って３つの部分に分割されている。３つの部分とは、（ｉ）エンジンのヘッドに面するピストンの移動ストロークの限界（上死点、ＴＤＣ）の近傍領域に対応する第１部分Ｚ１と、（ii）第２中央部分Ｚ２と、（iii）上死点とは逆の（エンジンのクランクシャフトに面する）ピストンの移動ストロークの限界（下死点、ＢＤＣ）の近傍領域に対応する第３部分Ｚ３と、である。
【００３５】
最新技術には、特定の粗さ値およびホーニング角度を有するライナ１の内面４の上記部分Ｚ１，Ｚ２，Ｚ３の各々を形成する様々な技術が存在する。この内面４の個別の粗さおよびプロセスを有する部分Ｚ１，Ｚ２，Ｚ３への分割は、ライナ１のピストンリングとの接触において生じる摩耗を制御しかつ低減することを可能とする点において非常に有利である。
【００３６】
これにより、ライナ１の仕様がどのようなものであれ、内面４上に規定された３つの部分Ｚ１，Ｚ２，Ｚ３を考慮することで、ライナ１の構成は、（ａ）第１部分Ｚ１が、凹凸（谷と山）構造によって規定される第１粗さ値を有する表面仕上げを有し、（ｂ）第２部分Ｚ２が、凹凸（谷と山）構造によって規定される第２粗さ値を有する表面仕上げを有し、（ｃ）第３部分が、凹凸（谷と山）構造によって規定される第３粗さ値を有する表面仕上げを有する、というものになるだろう。
【００３７】
本発明の主題であるライナ１の別の特徴は、各部分Ｚ１，Ｚ２，Ｚ３のホーニングプロセスの制御にあり、各部分Ｚ１，Ｚ２，Ｚ３の凹凸（谷と山）構造がそれぞれの部分Ｚ１，Ｚ２，Ｚ３の全領域内において実質的に均一となることが確保される。これにより、凹部に関しては、その深さおよび容積が潤滑油の貯留にとって理想的であること、および凸部に関しては、エンジンの慣らし運転期間を長くさせる上に望ましくない燃料消費量の増大および温度上昇をもたらす非常に高い凸部が形成されるのを防止することが確保される。
【００３８】
【表１】
2017110804.tif 000003
【００３９】
この態様では、本発明の好ましい実施形態はμｍ単位で次の値を示す。すなわち、（１）第１部分Ｚ１の粗さは、Ｒｐｋが０．３０以下であり、Ｒｋが０．４０〜１．５０であり、Ｒｖｋが１．１０〜２．８０であり、（２）第２部分Ｚ２の粗さは、Ｒｐｋが０．３０以下であり、Ｒｋが０．４０以下であり、Ｒｖｋが０．３０〜１．００であり、（３）第３部分Ｚ３の粗さは、Ｒｐｋが０．３０以下であり、Ｒｋが１．５０以下であり、Ｒｖｋが０．３０〜２．８０である。
【００４０】
さらに、好ましい実施形態のライナ１は、粗さの変化にしたがって変更されるホーニング角度の関係を有している。第１の可能な構成では、ホーニング角度はライナ１の軸方向長さＬの全長に沿って一定である。すなわち、第１部分Ｚ１、第２部分Ｚ２および第３部分Ｚ３が同じホーニング角度を有する（α（Ｚ１）＝α（Ｚ２）＝α（Ｚ３）、ここで、α（Ｚｘ）は第ｘ部分のホーニング角度を表す、以下同様）。
【００４１】
第２の可能な構成では、ホーニング角度は第１部分Ｚ１と第２部分Ｚ２と第３部分Ｚ３との間で変わり、第１部分Ｚ１のホーニング角度は第３部分Ｚ３のホーニング角度と等しく、第２部分Ｚ２のホーニング角度とは異なる（α（Ｚ１）＝α（Ｚ３）≠α（Ｚ２））。部分Ｚ１，Ｚ２，Ｚ３のホーニング角度における典型的な角度は、適用されるエンジンおよび使用されるオイルの粘性に応じて、３０〜６０°および１２０〜１６０°である。
【００４２】
上述の特徴に加えて、本発明のシリンダライナ１は、粗さ値の制御およびホーニング角度の関係の規定に加えて、革新的な構造的構成を備えている。それは、部分Ｚ１，Ｚ２，Ｚ３によって占められる長さが所定の間隔をもって規定されることを提起するものであり、特に第１部分Ｚ１および第３部分Ｚ３において生じるスカッフィングによる摩耗の低減、ならびに特に第２部分Ｚ２において生じる摩擦による摩耗の低減を目的とする。
【００４３】
最新技術では、部分Ｚ１，Ｚ２，Ｚ３の各々によって占められる長さおよび面積は、ピストンのストローク、ライナ１の直径や軸方向長さＬ等にしたがって自由に変更され得る。
【００４４】
この意味で、本願は、シリンダライナ１であって、その内面４に、（Ｉ）第１部分Ｚ１と第３部分Ｚ３との長さの和と、シリンダライナ１の軸方向長さＬとの比率が０．３１よりも大きく０．５８よりも小さくなるように（すなわち、０．３１＜（Ｚ１＋Ｚ３）／Ｌ＜０．５８、となるように）、かつ（II）第１部分Ｚ１と第２部分Ｚ２との長さの比率が０．１５よりも大きく０．４６よりも小さくなるように（すなわち、０．１５＜Ｚ１／Ｚ２＜０．４６、となるように）、所定の長さを占める第１〜第３部分Ｚ１〜Ｚ３を備えたシリンダライナ１を提示する。
【００４５】
これにより、耐スカッフィング性を向上させるための第１部分Ｚ１と第３部分Ｚ３との間の最適な長さ比率、および耐摩擦性を向上させるための第１部分Ｚ１と第２部分Ｚ２との間の最適な長さ比率が得られる。
【００４６】
代替的な構成では、シリンダライナ１の内面４は、その軸方向長さＬに沿って２〜６あるいはそれ以上の部分に分割されていてもよく、当該各部分は好ましい構成において規定されたものと同様の態様で特定の粗さ値および所定の長さを有する。
【００４７】
部分Ｚ１，Ｚ２，Ｚ３の長さを規定する値の範囲は、種々のエンジンにおける試験の実行によって得られる。実行した試験の一つでは、規定された値の範囲を外れた（Ｚ１＋Ｚ３）／Ｌ＝０．２７および／またはＺ１／Ｚ２＝０．１８で規定される部分Ｚ１，Ｚ２，Ｚ３の長さを有するライナ１の内面４が、強い傷付きおよびスカッフィングによる摩耗の開始を呈することが確認された。図３は、摩耗跡を有するシリンダライナ１を示している。
【００４８】
シリンダライナ１の耐摩耗性の向上という利点に加えて、本発明のライナ１の内面４の改良は、また、ピストンリングアセンブリによって作用する接線力のようなパラメータが０．６Ｎ／ｍｍ以下に調節され、エンジンの動作中におけるライナ／リングアセンブリの摩擦が低減されることを可能とする。
【００４９】
さらに、ライナ１の内面４の最適化は、また、スカッフィングによる摩耗の解消のために重要である、折り畳まれた材料の面積（折り畳まれた金属の面積、ＦＭＡ）や折り畳まれた材料の体積（折り畳まれた金属の体積、ＦＭＶ）といったパラメータの調節を可能とする。
【００５０】
パラメータＦＭＡ，ＦＭＶが小さくなるほど、材料の粒状組織間におけるオイルの流れはよくなり、これによりアセンブリの良好な潤滑が促進され、したがって摩耗が低減される。この例では、１０％以下のＦＭＡ値と５０，０００μｍ３／ｍｍ２以下のＦＭＶ値が得られた。図４のグラフは、１００時間のエンジン試験を行った上での、異なる速度で折り畳まれた材料における摩耗の変化を示している。高い速度で折り畳まれた材料のシリンダライナ１はおよそ０．１４μｍの摩耗Ｄ１を示している一方、低い速度で折り畳まれた材料のシリンダライナ１では摩耗Ｄ２は大幅に低減され、その値はおよそ０．０４μｍである。この意味で、ライナ１の摩耗の程度Ｄ１，Ｄ２が大きいほど、シリンダライナ１の内面４のホーニング溝におけるオイルの流動性が低くなることにより、耐スカッフィング性が低くなる。
【００５１】
好ましい実施形態の例について記載したが、本発明の範囲は、他の可能な変形例を含むものであって、特許請求の範囲の内容によってのみ限定されるものであり、等価物をも含むものであることを理解されたい。
【符号の説明】
【００５２】
１    シリンダライナ
２    筒状体
４    内面
Ｌ    軸方向長さ
Ｚ１  第１部分
Ｚ２  第２部分
Ｚ３  第３部分
【図１】
2017110804.tif 000004
【図２】
2017110804.tif 000005
【図３】
2017110804.tif 000006
【図４】
2017110804.tif 000007